(57)【要約】  少なくとも二種の移行性剤を含む少なくとも一つの時間遅延メッセージを伝えるための新規で改良されたラベルを開示する。時間遅延メッセージを、自動ラベルプリンタにより印刷可能なラベル上に印刷する。次いで、実質的に非硬化性の重合体被膜を含む第二層を移行性剤上に置いて移行を始め、メッセージを表示する。
2007513363.tif 000002
【特許請求の範囲】
【請求項１】
少なくとも二種の移行性剤を備えた少なくとも一つの時間遅延メッセージを伝えるためのラベル。
【請求項２】
前記ラベルが実質的に不透質である請求項１に記載のラベル。
【請求項３】
前記ラベルが透明なポリエステルからなる請求項１に記載のラベル。
【請求項４】
前記ラベルが自動ラベルプリンタにより供給可能である請求項１に記載のラベル。
【請求項５】
前記少なくとも二種の移行性剤を備える少なくとも一つの時間遅延メッセージを自動ラベルプリンタで印刷する請求項１に記載のラベル。
【請求項６】
前記ラベルがさらに該ラベルの第二表面上に配置した接着剤層と、該接着剤層上に配置したライナーとを備え、前記ライナーが接着剤層に剥離可能に付着することができる請求項１に記載のラベル。
【請求項７】
前記接着剤層が可塑剤−ビニル−二酸化チタンの混合物からなる請求項６に記載のラベル。
【請求項８】
前記時間遅延メッセージが、実質的に非硬化性の重合体被膜を介して移行して第二層を介して見える請求項１に記載のラベル。
【請求項９】
前記非硬化性重合体被膜が可塑剤−ビニル−二酸化チタンの混合物からなる請求項１に記載のラベル。
【請求項１０】
第二層が実質的に不透質である請求項２に記載のラベル。
【請求項１１】
第二層が透明なポリエステルである請求項２に記載のラベル。
【請求項１２】
前記少なくとも二種の移行性剤夫々の移行が、独立して制御可能である請求項１に記載のラベル。
【請求項１３】
前記少なくとも二種の移行性剤が、ほぼ同時に、実質的に非硬化性の重合体被膜を介して移行する請求項１に記載のラベル。
【請求項１４】
前記少なくとも二種の移行性剤が、異なる時間で、実質的に非硬化性の重合体被膜を介して移行する請求項１に記載のラベル。
【請求項１５】
前記少なくとも二種の移行性剤の移行が、約１２時間にわたって起こる請求項１に記載のラベル。
【請求項１６】
前記少なくとも二種の移行性剤が着色インクである請求項１に記載のラベル。
【請求項１７】
少なくとも二種の移行性剤が異なる着色インクを含む請求項１に記載のラベル。
【請求項１８】
メッセージが、少なくとも二種の異なる色の移行性インクを含む停止記号を備える請求項１に記載のラベル。
【請求項１９】
前記ラベルが、更に非移行性成分を含む請求項１に記載のラベル。
【請求項２０】
前記非移行性成分が、少なくとも一つのメッセージに配置した少なくとも二種の移行性剤を実質的に隠す請求項１９に記載のラベル。
【請求項２１】
前記少なくとも一つのメッセージが、非硬化性重合体被膜を介して移行した後に見える請求項２０に記載のラベル。
【請求項２２】
実質的に不透質な基層の第一表面上に少なくとも一つのメッセージを形成するように配置した少なくとも二種の移行性剤を備える基層と、
第二層の第一表面上に実質的に非硬化性の重合体被膜を備える第二層と、
基層の少なくとも一部と第二層の第一表面との間に配置した取り外し可能な剥離シートとを備える時間遅延メッセージラベルであって、
前記剥離シートが前記少なくとも二種の移行性剤と第二層との接触を防止し、該剥離シートを取り除くと実質的に非硬化性の重合体被膜を介して少なくとも二種の移行性剤を移行してメッセージを表示するようにする時間遅延メッセージラベル。
【請求項２３】
前記実質的に不透質な基層が、更に実質的に不透質な基層の第二表面上に配置した接着剤層と、該接着剤層上にライナーとを備え、前記ライナーが接着剤層に剥離可能に付着することができる請求項１に記載の時間遅延メッセージラベル。
【請求項２４】
前記非硬化性重合体被膜が、可塑剤−ビニル−二酸化チタンの混合物からなる請求項１に記載の時間遅延メッセージラベル。
【請求項２５】
前記接着剤層が、可塑剤−ビニル−二酸化チタンの混合物からなる請求項２に記載の時間遅延メッセージラベル。
【請求項２６】
基層が実質的に不透質である請求項１に記載の時間遅延メッセージラベル。
【請求項２７】
基層が透明なポリエステルである請求項１に記載の時間遅延メッセージラベル。
【請求項２８】
第二層が実質的に不透質である請求項１に記載の時間遅延メッセージラベル。
【請求項２９】
第二層が透明なポリエステルである請求項１に記載の時間遅延メッセージラベル。
【請求項３０】
基層が、更に予め印刷された非移行性成分を含む請求項１に記載の時間遅延メッセージラベル。
【請求項３１】
予め印刷された非移行性成分が、少なくとも一つのメッセージに配置した移行性剤を含む少なくとも二種のインクを実質的に隠す請求項９に記載の時間遅延メッセージラベル。
【請求項３２】
取り外し可能な剥離シートが、更にグリップタブを備える請求項１に記載の時間遅延メッセージラベル。
【請求項３３】
少なくとも二種の移行性剤夫々の移行時間が独立して制御可能である請求項１に記載の時間遅延メッセージラベル。
【請求項３４】
前記少なくとも二種の移行性剤が、ほぼ同時に実質的に非硬化性の重合体被膜を介して移行する請求項１に記載の時間遅延メッセージラベル。
【請求項３５】
前記少なくとも二種の移行性剤が、異なる時間で、実質的に非硬化性の重合体被膜を介して移行する請求項１に記載の時間遅延メッセージラベル。
【請求項３６】
前記少なくとも二種の移行性剤が着色インクである請求項１に記載の時間遅延メッセージラベル。
【請求項３７】
前記ラベルが自動ラベルプリンタにより供給可能である請求項１に記載の時間遅延メッセージラベル。
【請求項３８】
取り外し可能な剥離シートの取り外しの前後で、第二層をラベルプリンタで印刷することができる請求項１に記載の時間遅延メッセージラベル。
【請求項３９】
少なくとも二種の移行性剤が異なる着色インクを備える請求項１に記載の時間遅延メッセージラベル。
【請求項４０】
時間満了のラベルがセキュリティバッジである請求項１に記載の時間遅延メッセージラベル。
【請求項４１】
メッセージが、少なくとも二種の異なる色の移行性インクを含む停止記号を備える請求項１９に記載の時間遅延メッセージラベル。
【発明の詳細な説明】
【技術分野】
【０００１】
本出願は、米国特許法第１１９条に規定する２００３年１０月２２日に出願した米国仮出願第６０／５１３,４１４号の優先権を主張し、その内容を本願に引用して援用する。
【０００２】
本発明は、時間遅延メッセージを伝えるためのラベルに関する。特に、本発明は、複数のインク及び改良された時間制御を用いて時間遅延メッセージを伝えるためのラベルに関する。
【背景技術】
【０００３】
時間遅延メッセージラベルシステムは、一般に、フィルムオーバーレイを介して徐々に移行するインク、即ちメッセージ又は画像を含んでいる。該システムを先ず活性化したとき、メッセージはすぐには見えない。インクが上層を介して拡散するにつれて、メッセージは、容易に見えるように十分に濃く明瞭になるまでゆっくりと現れ始める。かかるシステムの共通する特徴は、メッセージに徐々に進展する単一のインクを用いることである。従来のメッセージ表示システムにおける実用上の制限の一つは、表示された画像が緩徐に進展し、メッセージ又は画像をすぐに認識できないことである。その結果、単一インクシステムの拡散時及び拡散後でさえ、メッセージが紛らわしかったり、はっきりしなかったりすることがある。システムの活性化とメッセージの進展との間で長時間の遅延が望ましい特定の用途においては、この効果がなおさら云われる。従って、制御された時間量にわたって進展する複数のインクを含んだメッセージ表示システムが望ましい。
【発明の開示】
【課題を解決するための手段】
【０００４】
本発明は、時間遅延メッセージを伝えるためのラベルに関する。特に、本発明は、複数のインク及び改良された時間制御を用いて時間遅延メッセージを伝えるためのラベルに関する。
【０００５】
本発明の目的は、少なくとも二種の移行性剤を備える少なくとも一つの時間遅延メッセージを伝えるための新規で改良されたラベルを提供することである。本発明の他の目的は、実質的に非硬化性の重合体被膜を介して移行し、第二層を介して見る時間遅延メッセージを提供することである。また、本発明の更なる目的は、自動ラベルプリンタにより供給可能なラベルを提供することである。更に、本発明の他の目的は、少なくとも二種の移行性剤を含み、自動ラベルプリンタで印刷し得る時間遅延メッセージを伝えるためのラベルを提供することである。
【０００６】
本発明の他の目的は、少なくとも二種の移行性剤を備える少なくとも一つの時間遅延メッセージを伝えるための新規で改良されたラベルを提供するものであって、該ラベルは、実質的に不透質な基層の第一表面上に少なくとも一つのメッセージを形成するために配置された少なくとも二種の移行性剤を含む基層と、第二層の第一表面上に実質的に非硬化性の重合体被膜を含む第二層と、基層の少なくとも一部と第二層の第一表面との間に配置された取り外し可能な剥離シートとを含み、該剥離シートが少なくとも二種の移行性剤と第二層との接触を防止し、該剥離シートを取り外すと、少なくとも二種の移行性剤が実質的に非硬化性の重合体被膜を介して移行してメッセージを表示させることができる。
【０００７】
本発明の更に多くの目的、特徴及び利点は、後述する好適な実施態様の説明により当業者にとって容易に明白となる。
【０００８】
本発明の更に多くの目的に加えて、本発明の理解を向上させるためには、添付図面と併せて以下の記載を参照することであり、また、本発明の範囲は特許請求の範囲に指摘するものとする。
【発明を実施するための最良の形態】
【０００９】
本発明の一実施態様においては、少なくとも二種の移行性剤を備える少なくとも一つの時間遅延メッセージを伝えるためのラベルを提供する。該ラベルは、実質的に不透質な材料からなり、移行性剤がラベル中に拡散するのを防ぐことができる。例えば、ラベルをポリエステルで作ることができる。他の実施態様においては、ラベルを自動ラベルプリンタにより供給可能である。自動ラベルプリンタを用いて、ラベル上に少なくとも二種の移行性剤を含む時間遅延メッセージを印刷することができる。更なる実施態様においては、ラベルが接着剤層を含むことができるので、印刷されたラベルをある表面に付着し得る。
【００１０】
本発明の更なる実施態様においては、ラベル上に印刷された時間遅延メッセージが第二層を介して見えるように移行することができる。例えば、第二層は実質的に不透質な材料、例えばポリエステルでよく、その片面に実質的に非硬化性の重合体被膜、例えば可塑剤−ビニル−二酸化チタンの混合物を有する。移行を始めるには、かかる第二層を、少なくとも二種の移行性剤を含むメッセージと接触してラベル上に置くことができる。接触すると、移行性剤、即ちメッセージが上記被膜を介して拡散し始め、第二層を介して表示され得る。
【００１１】
本発明の更なる実施態様においては、移行性剤の移行を独立して制御することができる。一実施態様において、移行性剤が、ほぼ同時に、実質的に非硬化性の重合体被膜を介して移行することができる。他の実施態様において、移行性剤が、異なる時間で、実質的に非硬化性の重合体被膜を介して移行することができる。一実施態様において、移行は約１２時間にわたって生じ得る。
【００１２】
本発明の更なる実施態様において、移行性剤は着色インクでもよい。他の更なる実施態様において、移行性剤は異なる着色インクでもよい。一例として、ラベルは、少なくとも二種の異なる色の移行性インクを備える停止記号を含むメッセージを有することができる。少なくとも二種の移行性インクを備える停止記号を含むラベルは、広く理解されたメッセージ又は警告を所望する種々の用途で有用となる。例えば、停止記号を含むメッセージは、セキュリティバッジにおいて認証をもはや是認しないとする容易に見分けがつく警報として用いることができる。
【００１３】
更に、本発明の更なる実施態様において、ラベルが非移行性成分を含むことができる。一例としては、この非移行性成分自体がメッセージとなることができる。更なる実施態様において、非移行性成分は、メッセージが非硬化性重合体被膜を介して移行した後に第二層を介して見ることができるように、移行性剤に含まれたメッセージを実質的に隠すことができる。
【００１４】
少なくとも一つの時間遅延メッセージを伝えるためのラベルの実施態様の他の例を図１に示す。一実施態様の時間遅延メッセージラベル１０は、ベース８と表示層２０とを含む。ベース８は、一方の表面に塗布された実質的に不透質な基層１２を含む。実施態様の更なる例において、ベース８は、接着剤層１４と、該接着剤層１４上に配置したライナー１６とを含み、該ライナーを接着剤層１４に解放可能に付着することができる。接着剤層１４及びライナー１６は任意であるが、あらゆる所定の用途において、本発明の接着剤ラベルの好都合な製造及び使用に備える。実質的に不透質な基層１２の他方の表面の一部に、少なくとも一つのメッセージ１８に配置した少なくとも二種の移行性剤が存在し得る。表示層２０は、透明で実質的に不透質な上面第二層２２と、非硬化性重合体被膜２４と、取り外し可能な剥離シート２６とを備える。
【００１５】
更なる実施態様において、取り外し可能な剥離シート２６を部分的に取り外すか、又ははがし、非硬化性重合体被膜２４の露出面２８を、メッセージ１８に隣接した基層１２の表面の一部に接触、付着する。本発明の更なる実施態様において、取り外し可能な剥離シートを部分的にはがしてグリップタブ３０を形成する。剥離シート２６の上面は、剥離シート２６を部分的にはがしてグリップタブ３０を形成する以外の全ての区域で、非硬化性重合体被膜２４に取り外し可能に付着させ、基層１２と接触する被膜２４を接触面２８で露出する。剥離シート２６をはがし、折り目３２で折り曲げて、図１に示すようにメッセージ１８が予備活性化位置において被膜２４と接触しないようにする。時間遅延メッセージラベルを活性化するには、グリップタブ３０を矢印「Ａ」の方向に引っ張り、取り外し可能な剥離シート２６の残りを表示層２０から剥がす。表示層２０を接触面２８で基層１２に固着しているので、表示層２０をメッセージ１８上に配置されるようになり、図４に示すように表示器を活性化する。
【００１６】
本発明の更なる実施態様において、メッセージ１８は、更に予め印刷されたメッセージとなり得る非移行性成分を含む。また、更なる実施態様において、非移行性成分は、移行性剤に相当するメッセージを隠す。
【００１７】
図２は、ある受け面に取り付けられた時間遅延メッセージラベルの一例の斜視図である。図２に示すように、ライナー１６を取り外し、裏面の被膜１４を受け面に付着する。ラベル１０は予備活性化位置に示される。
【００１８】
図３は、メッセージ１８の活性化及び移動後の表示器の斜視図である。ラベルはライナー１６を取り外して示され、接着剤層１４によってラベルが受け面に固着される。活性化した位置において、非硬化性重合体被膜２４が基層１２に接触、付着するとともに、該被膜２４がメッセージ１８と接触している。
【００１９】
図４は、メッセージ１８の上に重なる表示層２０を示す図３の時間遅延メッセージラベルの側面の断面図であって、非硬化性重合体被膜２４がメッセージ１８と接触する。メッセージ１８の移行成分が、非硬化性重合体被膜２４を介して移行し、メッセージを表示することができる。一実施態様において、被膜２４は、メッセージ表示用背景を提供し、メッセージ区域１８のあらゆる非移行性成分を覆い隠すことができる不透明な可塑剤−ビニル−二酸化チタンである。
【００２０】
第二層２２及び実質的に不透質な基層１２は、実質的に不透質なポリエステルからなるのが好ましい。一例においては、Ｅ．Ｉ．デュポン デ ヌムール社で市販されている透明な「マイラー（Mylar）」フィルムを用いることができる。本発明との関連において、表示層２２と基層１２とを説明するのに用いられる「不透質」の用語は、これらの層が動作時間の間に該層中へ又は該層を介して移行性剤の通過を効果的に防ぐ分子構造を有することを意味するものとする。従って、不透質な基層１２は、メッセージ１８に含まれる移行性剤が動作時間の間に下方へ移行するのを効果的に防ぐ。好適な実施態様において、第二層２２は、最上層２２を介して移行性剤が移動するのを同様に防ぐ。一実施態様においては、接着剤層１４と非硬化性重合体被膜２４とを同一の混合物で作ることができる。非硬化性重合体被膜の一の好適な混合物は、ヒュルス（Huls）アメリカ社（ニュージャージー州ピスカタウェイ）の「アドメックス」のようなポリエステル可塑剤約６４重量％と、二酸化チタン（ＴｉＯ2）約２０重量％と、ポリ塩化ビニル樹脂約１６重量％とを含む。
【００２１】
本発明のより良い理解を容易にするために、いくつかの好適な実施態様の例を下記に示す。これらの例によって本発明の範囲は何ら制限されるべきものではない。
【００２２】
一例においては、本発明の時間遅延メッセージラベルを図５に示すようなセキュリティバッチとして用いることができる。該セキュリティーバッチは、典型的なクレジットカード程度の大きさで、メッセージを停止記号の形で含むことができる。該停止記号は、移行性赤インクを移行性黒インクの辺縁とともに含むことができる。バッジが発行されると、時間遅延メッセージラベルが活性化され、所定時間の後に、アクセスがもはや許されないことを示すラベルの停止記号が見えるようになる。多色ラベルが、バッジの分解能を増大させ、画像を図６に示すように一層容易に見えるようにする。
【００２３】
従って、本発明は、目的を遂行し、かつ上記目的及び利点並びに本発明における固有のものを獲得するのによく適合している。本発明は、本発明の典型的な実施態様を参照することによって、描かれ、説明され、定義されているが、かかる参照は発明の制限を意味するのではなく、このような制限を推測すべきではない。本発明は、開示の利益を有する当業者に思い浮かぶように、形状及び機能において考慮すべき修正、変更及び均等物が可能である。描き説明した本発明の実施態様は、典型例にすぎず、本発明の範囲を網羅するものではない。故に、本発明は、添付した特許請求の範囲の精神と範囲によってのみ制限されるようにするものであって、あらゆる点で均等に対する十分な認識を加える。
【図面の簡単な説明】
【００２４】
【図１】図１は、本発明の時間遅延メッセージラベルの側面図である。
【図２】図２は、本発明の時間遅延メッセージラベルの斜視図である。
【図３】図３は、図２に示す時間遅延メッセージラベルの斜視図である。
【図４】図４は、図３に示す時間遅延メッセージラベルの断面図である。
【図５】図５は、本発明の時間遅延メッセージラベルの一実施態様である。
【図６】図６は、本発明の時間遅延メッセージラベルの他の実施態様である。
【符号の説明】
【００２５】
８  ベース
１０  時間遅延メッセージラベル
１２  基層
１４  接着剤層
１６  ライナー
１８  メッセージ
２０  表示層
２２  第二層
２４  非硬化性重合体被膜
２６  剥離シート
２８  接触面
３０  グリップタブ
３２  折り目
【図１】
2007513363.tif 000003
【図２】
2007513363.tif 000004
【図３】
2007513363.tif 000005
【図４】
2007513363.tif 000006
【図５】
2007513363.tif 000007
【国際調査報告】
2007513363.tif 000008
2007513363.tif 000009